(57)【要約】【課題】歴史を体感できる歴史体感支援システム等の提供を目的とする。【解決手段】ユーザ端末装置３と、年表提供者端末装置４と、サーバコンピュータ１とを備える。サーバコンピュータ１は、人物情報とセリフ情報と日時情報を相互に関連づけた年表情報を年表提供者端末装置４から受信し、その年表情報を年表データベース１１ｃに記録する。そして、サーバコンピュータ１は、人物情報を特定した年表特定情報を含む歴史体感要求情報をユーザ端末装置３から受信し、その年表特定情報に基いて、その人物情報に対応するセリフ情報及び日時情報を年表データベース１１ｃから抽出するとともに、その日時情報に基いてセリフ情報を時系列に順次ユーザ端末装置３に送信する。【選択図】図１
2007079763.tif 000002
【特許請求の範囲】
【請求項１】
ユーザが用いるユーザ端末装置と、歴史年表を提供する年表提供者が用いる年表提供者端末装置と、通信網を介してユーザ端末装置及び年表提供者端末装置と通信可能に接続されるサーバコンピュータとを備えた歴史体感支援システムであって、
年表提供者端末装置は、年表提供者の指示に従って、歴史上の人物を示す人物情報と、その人物と第三者との会話のセリフを示すセリフ情報と、そのセリフに関する会話を行なった日時を示す日時情報を相互に関連づけた年表情報をサーバコンピュータに送信し、
サーバコンピュータは、受信した上記年表情報を年表データベースに記録し、
ユーザ端末装置は、歴史体感を求めるユーザの指示に従って、上記人物情報を特定した年表特定情報を含む歴史体感要求情報をサーバコンピュータに送信し、
歴史体感要求情報を受信したサーバコンピュータは、その歴史体感要求情報に含まれた年表特定情報に基いて、その人物情報に対応するセリフ情報及び日時情報を年表データベースから抽出するとともに、その日時情報に基いてセリフ情報を時系列に順次ユーザ端末装置に送信し、
ユーザ端末装置は、受信したセリフ情報に基いてセリフを順次表示することを特徴とする歴史体感支援システム。
【請求項２】
歴史体感の支援を行う歴史体感支援装置であって、
歴史上の人物を示す人物情報と、その人物と第三者との会話のセリフを示すセリフ情報と、そのセリフに関する会話を行なった日時を示す日時情報を相互に関連づけた年表情報を記録した年表データベースを備え、
歴史体感を求めるユーザが用いるユーザ端末装置から受信した人物情報を特定した年表特定情報を含む歴史体感要求情報に基いて、その人物情報に対応するセリフ情報及び日時情報を年表データベースから抽出するとともに、その日時情報に基いてセリフ情報を時系列に順次ユーザ端末装置に送信することを特徴とする歴史体感支援装置。
【請求項３】
歴史上の人物を示す人物情報と、その人物と第三者との会話のセリフを示すセリフ情報と、そのセリフに関する会話を行なった日時を示す日時情報を相互に関連づけた年表情報を記録した年表データベースを備えたコンピュータを、歴史体感の支援を行う歴史体感支援装置として機能させるプログラムであって、
コンピュータに、歴史体感を求めるユーザが用いるユーザ端末装置から受信した人物情報を特定した年表特定情報を含む歴史体感要求情報に基いて、その人物情報に対応するセリフ情報及び日時情報を年表データベースから抽出させるとともに、その日時情報に基いてセリフ情報を時系列に順次ユーザ端末装置に送信させる処理を行わせることを特徴とするプログラム。
【請求項４】
歴史上の人物を示す人物情報と、その人物と第三者との会話のセリフを示すセリフ情報と、そのセリフに関する会話を行なった日時を示す日時情報を相互に関連づけた年表情報を記録した年表データベースを備えたコンピュータを、歴史体感の支援を行う歴史体感支援装置として機能させるプログラムを記録した記録媒体であって、
コンピュータに、歴史体感を求めるユーザが用いるユーザ端末装置から受信した人物情報を特定した年表特定情報を含む歴史体感要求情報に基いて、その人物情報に対応するセリフ情報及び日時情報を年表データベースから抽出させるとともに、その日時情報に基いてセリフ情報を時系列に順次ユーザ端末装置に送信させる処理を行わせることを特徴とするプログラムを記録した記録媒体。
【請求項５】
請求項１〜４の何れかに記載の歴史体感支援システム、歴史体感支援装置、プログラム、又は、プログラムを記録した記録媒体において、
上記歴史体感支援装置は、現代語を示す現代語情報と歴史言葉を示す歴史言葉情報とを関連付けて記録した言語変換データベースを、更に備え、
この言語変換データベースに基いて、現代語のセリフ情報から歴史言葉のセリフ情報を生成することを特徴とするもの。
【請求項６】
請求項１〜５の何れかに記載の歴史体感支援システム、歴史体感支援装置、プログラム、又は、プログラムを記録した記録媒体において、
上記歴史体感支援装置は、セリフ情報をユーザ端末装置に送信する実送信日時を示す実送信日時情報を生成する実送信日時情報生成部を備え、
この実送信日時情報生成部は、ユーザへの送信の態様が年表データベースに記録された上記日時情報に示される日時に送信を行なう標準送信であるか、又は、それ以外の指定された日時に送信を行なう日時指定送信であるかを、ユーザ端末装置から受信した標準送信か日時指定送信かの別を示す送信態様情報に基いて判定し、送信態様が標準送信であると判定した場合は、年表データベースに記録された日時情報を実送信日時情報として設定し、日時指定送信であると判定した場合は、上記日時情報から上記指定された日時を反映した実送信日時情報を生成することを特徴とするもの。
【請求項７】
コンピュータを用いて歴史体感の支援を行う歴史体感支援方法であって、
歴史上の人物を示す人物情報と、その人物と第三者との会話のセリフを示すセリフ情報と、そのセリフに関する会話を行なった日時を示す日時情報を相互に関連づけた年表情報を記録した年表データベースを備えたコンピュータを準備し、
コンピュータに、歴史体感を求めるユーザが用いるユーザ端末装置から人物情報を特定した年表特定情報を含む歴史体感要求情報を受信させ、その受信した歴史体感要求情報の年表特定情報に基いて、その人物情報に対応するセリフ情報及び日時情報を年表データベースから抽出させるとともに、その日時情報に基いてセリフ情報を時系列に順次ユーザ端末装置に送信させる処理を行なわせることを特徴とする歴史体感支援方法。
【発明の詳細な説明】
【技術分野】
【０００１】
本発明は、歴史の体感の支援を行う歴史体感支援システム等に関するものである。
【背景技術】
【０００２】
例えば情報を取得する手段として、インターネットを使用した、いわゆるメールマガジンが知られている。
【発明の開示】
【発明が解決しようとする課題】
【０００３】
しかしながら、従来のメールマガジンのシステムは、定期的（例えば毎週月曜日）に情報を配信するにすぎない。従って、例えば歴史上の出来事を、時間経過を含めて、体感するものでなかった。
【０００４】
本願発明は、以上のような実情に鑑みて提案されたもので、歴史を体感できる歴史体感支援システム等の提供を目的とする。
【課題を解決するための手段】
【０００５】
本願の請求項１記載の発明は、ユーザが用いるユーザ端末装置と、歴史年表を提供する年表提供者が用いる年表提供者端末装置と、通信網を介してユーザ端末装置及び年表提供者端末装置と通信可能に接続されるサーバコンピュータとを備えた歴史体感支援システムであって、年表提供者端末装置は、年表提供者の指示に従って、歴史上の人物を示す人物情報と、その人物と第三者との会話のセリフを示すセリフ情報と、そのセリフに関する会話を行なった日時を示す日時情報を相互に関連づけた年表情報をサーバコンピュータに送信し、サーバコンピュータは、受信した上記年表情報を年表データベースに記録し、ユーザ端末装置は、歴史体感を求めるユーザの指示に従って、上記人物情報を特定した年表特定情報を含む歴史体感要求情報をサーバコンピュータに送信し、歴史体感要求情報を受信したサーバコンピュータは、その歴史体感要求情報に含まれた年表特定情報に基いて、その人物情報に対応するセリフ情報及び日時情報を年表データベースから抽出するとともに、その日時情報に基いてセリフ情報を時系列に順次ユーザ端末装置に送信し、ユーザ端末装置は、受信したセリフ情報に基いてセリフを順次表示することを特徴とする歴史体感支援システムである。
【０００６】
本願の請求項２記載の発明は、歴史上の人物を示す人物情報と、その人物と第三者との会話のセリフを示すセリフ情報と、そのセリフに関する会話を行なった日時を示す日時情報を相互に関連づけた年表情報を記録した年表データベースを備え、歴史体感を求めるユーザが用いるユーザ端末装置から受信した人物情報を特定した年表特定情報を含む歴史体感要求情報に基いて、その人物情報に対応するセリフ情報及び日時情報を年表データベースから抽出するとともに、その日時情報に基いてセリフ情報を時系列に順次ユーザ端末装置に送信することを特徴とする歴史体感支援装置である。
【０００７】
本願の請求項３記載の発明は、歴史上の人物を示す人物情報と、その人物と第三者との会話のセリフを示すセリフ情報と、そのセリフに関する会話を行なった日時を示す日時情報を相互に関連づけた年表情報を記録した年表データベースを備えたコンピュータを、歴史体感の支援を行う歴史体感支援装置として機能させるプログラムであって、コンピュータに、歴史体感を求めるユーザが用いるユーザ端末装置から受信した人物情報を特定した年表特定情報を含む歴史体感要求情報に基いて、その人物情報に対応するセリフ情報及び日時情報を年表データベースから抽出させるとともに、その日時情報に基いてセリフ情報を時系列に順次ユーザ端末装置に送信させる処理を行わせることを特徴とするプログラムである。
【０００８】
本願の請求項４記載の発明は、歴史上の人物を示す人物情報と、その人物と第三者との会話のセリフを示すセリフ情報と、そのセリフに関する会話を行なった日時を示す日時情報を相互に関連づけた年表情報を記録した年表データベースを備えたコンピュータを、歴史体感の支援を行う歴史体感支援装置として機能させるプログラムを記録した記録媒体であって、コンピュータに、歴史体感を求めるユーザが用いるユーザ端末装置から受信した人物情報を特定した年表特定情報を含む歴史体感要求情報に基いて、その人物情報に対応するセリフ情報及び日時情報を年表データベースから抽出させるとともに、その日時情報に基いてセリフ情報を時系列に順次ユーザ端末装置に送信させる処理を行わせることを特徴とするプログラムを記録した記録媒体である。
【０００９】
本願の請求項５記載の発明は、請求項１〜４の何れかに記載の歴史体感支援システム、歴史体感支援装置、プログラム、又は、プログラムを記録した記録媒体において、上記歴史体感支援装置は、現代語を示す現代語情報と歴史言葉を示す歴史言葉情報とを関連付けて記録した言語変換データベースを、更に備え、この言語変換データベースに基いて、現代語のセリフ情報から歴史言葉のセリフ情報を生成することを特徴とするものである。
【００１０】
本願の請求項６記載の発明は、請求項１〜５の何れかに記載の歴史体感支援システム、歴史体感支援装置、プログラム、又は、プログラムを記録した記録媒体において、上記歴史体感支援装置は、セリフ情報をユーザ端末装置に送信する実送信日時を示す実送信日時情報を生成する実送信日時情報生成部を備え、この実送信日時情報生成部は、ユーザへの送信の態様が年表データベースに記録された上記日時情報に示される日時に送信を行なう標準送信であるか、又は、それ以外の指定された日時に送信を行なう日時指定送信であるかを、ユーザ端末装置から受信した標準送信か日時指定送信かの別を示す送信態様情報に基いて判定し、送信態様が標準送信であると判定した場合は、年表データベースに記録された日時情報を実送信日時情報として設定し、日時指定送信であると判定した場合は、上記日時情報から上記指定された日時を反映した実送信日時情報を生成することを特徴とするものである。
【００１１】
本願の請求項７記載の発明は、コンピュータを用いて歴史体感の支援を行う歴史体感支援方法であって、歴史上の人物を示す人物情報と、その人物と第三者との会話のセリフを示すセリフ情報と、そのセリフに関する会話を行なった日時を示す日時情報を相互に関連づけた年表情報を記録した年表データベースを備えたコンピュータを準備し、コンピュータに、歴史体感を求めるユーザが用いるユーザ端末装置から人物情報を特定した年表特定情報を含む歴史体感要求情報を受信させ、その受信した歴史体感要求情報の年表特定情報に基いて、その人物情報に対応するセリフ情報及び日時情報を年表データベースから抽出させるとともに、その日時情報に基いてセリフ情報を時系列に順次ユーザ端末装置に送信させる処理を行なわせることを特徴とする歴史体感支援方法である。
【発明の効果】
【００１２】
本願の請求項１、請求項２、請求項３、請求項４、及び請求項７に記載の発明においては、サーバコンピュータが歴史上の人物と第三者との会話のセリフを示すセリフ情報を、そのセリフに関する会話を行なった日時を示す日時情報に基いて時系列に順次ユーザ端末装置に送信する。これにより、ユーザ端末装置を介してユーザは、例えば会話を行なった日時に合致した日時にセリフを受けることができ、各セリフの時間的間隔と同一又はこれに比例した時間間隔でセリフを受けることができる。従って、ユーザは、その歴史上の人物になった気分でセリフ情報を受けることができ、歴史を体感できる。
【００１３】
本願の請求項５に記載の発明においては、言語変換データベースに基いて、現代語のセリフ情報から歴史言葉のセリフ情報を生成する。これにより、ユーザに、例えば歴史上の人物の時代、地位、身分等に応じた歴史言葉のセリフ情報にして送ることができる。例えば歴史上の人物が徳川家康である場合は、戦国武将言葉のセリフ情報にして送ることができる。従って、セリフ情報を受信したユーザは、より一層、歴史を体感できる。
【００１４】
又、セリフ情報を作成する場合は、全て現代語で作成しておけば、サーバコンピュータが言語変換データベースに基いて、現代語のセリフ情報から歴史言葉のセリフ情報を生成でき、人物に応じたセリフ情報の作成が容易なものになる。
【００１５】
本願の請求項６に記載の発明においては、歴史体感支援装置の実送信日時情報生成部は、ユーザへの送信の態様が年表データベースに記録された上記日時情報に示される日時に送信を行なう標準送信であるか、又は、それ以外の指定された日時に送信を行なう日時指定送信であるかを判定し、標準送信であると判定した場合は、年表データベースに記録された日時情報を実送信日時情報として設定し、日時指定送信であると判定した場合は、上記日時情報から上記指定された日時を反映した実送信日時情報を生成する。こうすることにより、例えばユーザにより標準送信が選択された場合には、そのユーザに対しては歴史上実際に会話のあった日時に合致した日時にセリフ情報を送信できる。一方、ユーザにより日時指定送信が選択された場合には、そのユーザに対しては、ユーザの都合の良い日時に送信できる。
【発明を実施するための最良の形態】
【００１６】
図１は、本願発明の歴史体感支援システムの一実施の形態のブロック図である。
【００１７】
本実施の形態の歴史体感支援システムは、歴史体感支援装置としてのサーバコンピュータ１と、通信網としてのインターネット１０を介してサーバコンピュータ１と通信可能な端末装置３、４とを備えている。
【００１８】
端末装置３、４は、この実施形態では、歴史体感を求めるユーザが用いるユーザ端末装置３と、歴史年表を提供する年表提供者が用いる年表提供者端末装置４とを備えている。
【００１９】
ユーザ端末装置３は、この実施形態では、携帯電話から構成されている。ユーザ端末装置３は、表示部３ａ、入力部３ｂ、通信制御部３ｃを備えている。
【００２０】
そして、ユーザは、ユーザ端末装置３の入力部３ｂを介してデータなどの入力を行う。入力されたデータなどは、通信制御部３ｃを介してサーバコンピュータ１に送信され、又、サーバコンピュータ１からのデータなどは通信制御部３ｃを介してユーザ端末装置３に受信される。また、サーバコンピュータ１からのデータは、表示部３ａにより表示される。
【００２１】
年表提供者端末装置４は、この実施形態では、パーソナルコンピュータ（パソコン）から構成されており、表示部４ａ、入力部４ｂ、通信制御部４ｃを備えている。
【００２２】
そして、年表提供者は、年表提供者端末装置４の入力部４ｂを介してデータなどの入力を行う。入力されたデータなどは、通信制御部４ｃを介してサーバコンピュータ１に送信され、又、サーバコンピュータ１からのデータなどが通信制御部４ｃを介して年表提供者端末装置４に受信される。また、サーバコンピュータ１からのデータは、表示部４ａにより表示される。
【００２３】
尚、この実施形態では、ユーザ端末装置３は、携帯電話から構成されているが、携帯電話以外の携帯情報端末、或いは、パソコンから構成されるものであっても良く、特に限定されるものではない。又、管理者端末装置４についても、パソコンから構成するものに限らず、種々の携帯情報端末から構成することができ、適宜変更使用できる。
【００２４】
サーバコンピュータ１は、データベースと、記録制御部１２と、セリフ情報送信部１７と、状況年表情報生成部２１と、通信制御部２２とを備えている。
【００２５】
データベースは、この実施形態では、ユーザデータベース１１ａと、選択内容データベース１１ｂと、年表データベース１１ｃと、言語変換データベース１１ｄと、実送信日時データベース11ｅとを備えている。
【００２６】
ユーザデータベース１１ａは、ユーザの属性等を記録している。この実施形態では、図１４に示すように、氏名、住所、性別、年齢、電子メールアドレス、決済方法等の情報を、ユーザ識別情報（ユーザＩＤ）と関連づけて記録している。
【００２７】
選択内容データベース１１ｂは、図１５に示すように、ユーザが選択した歴史体感コース情報を識別する歴史体感コース識別情報（歴史体感コースＩＤ）、人物情報を識別する人物識別情報（人物ＩＤ）、送信態様を示す送信態様情報を、ユーザＩＤと関連付けて記録している。尚、歴史体感コース情報、人物情報、送信態様情報については後述する。
【００２８】
年表データベース１１ｃは、年表を示す年表情報を記録している。この実施形態の年表データベース１１ｃは、事象テーブル１１ｆと、日時テーブル１１ｇとから構成されている。
【００２９】
事象テーブル１１ｆは、図１６に示すように、歴史体感コースＩＤ、人物ＩＤ、事象を識別する事象識別情報（事象ＩＤ）、事象を示す事象情報を互いに関連づけて記録している。
【００３０】
歴史体感コース情報は、歴史上の出来事を示す情報である。例えば関ケ原の合戦、本能寺の変、大阪夏の陣等を示したものである。
【００３１】
人物情報は、上記歴史上の出来事に登場する歴史上の人物を示す情報である。例えば関ケ原の合戦の場合は、徳川家康、井伊直政，小早川秀秋、或いは、石田三成等が例示できる。
【００３２】
事象情報は、この実施形態では、セリフを示すセリフ情報と状況を示す状況情報とから構成されている。セリフ情報は、上記人物と第三者との会話のセリフを示す情報である。
【００３３】
状況情報は、上記セリフに対応する歴史的状況等を示す情報である。
【００３４】
又、事象テーブル１１ｆは、この実施形態では、選択言語識別情報（選択言語ＩＤ）を、歴史体感コースＩＤ、人物ＩＤと関連付けて記録している。この選択言語ＩＤは、ユーザに送信すべきセリフの言語を識別するものである。セリフの言語としては、例えば戦国武将言葉、平安公家言葉などがある。
【００３５】
日時テーブル１１ｇは、図１７に示すように、日時を示す日時情報を、事象ＩＤ、人物ＩＤ、及び歴史体感コースＩＤと関連付けて記録している。又、この実施形態における日時テーブル１１ｇに記録された日時情報に示される日時は、ほぼ歴史資料に基づいて設定されたもので、歴史上の実際の日時に合わせた日時になっている。
【００３６】
言語変換データベース11ｄは、図１８に示すように、現代語と歴史言葉とを関連付けて記録している。歴史言葉は、例えば戦国武将が使用していた戦国武将言葉、平安時代の公家が使用していた平安公家言葉などである。
【００３７】
実送信日時データベース１１ｅは、図１９に示すように、ユーザ端末装置３にセリフ情報を送信する実送信日時を示す実送信日時情報を、ユーザＩＤ、歴史体感コースＩＤ、人物ＩＤ、事象ＩＤと関連づけて記録している。
【００３８】
記録制御部１２は、ユーザ情報記録制御部１３と、選択内容情報記録制御部１4と、年表情報記録制御部１５と、実送信日時情報記録制御部１６とを備えている。
【００３９】
ユーザ情報記録制御部１３は、例えばユーザ端末装置３を介して得たユーザの属性などのユーザに関するユーザ情報を上記ユーザデータベース１１ａに記録する。
【００４０】
選択内容情報記録制御部１４は、例えばユーザ端末装置３を介して得た歴史体感コース情報、人物情報、送信態様情報についての選択内容情報を、上記選択内容データベース１1ｂに記録する。
【００４１】
年表情報記録制御部１５は、例えば年表提供者端末装置４を介して得た歴史年表を示す年表情報を上記年表データベース１１ｃに記録する。
【００４２】
実送信日時情報記録制御部１６は、後述する実送信日時情報生成部１８によって生成された実送信日時情報を上記実送信日時データベース１１ｅに記録する。
【００４３】
セリフ情報送信部１７は、実送信日時情報生成部１８と、セリフ情報生成部１９と、該当実送信日時情報検出部２０及び該当メールアドレス抽出部２３を備えている。
【００４４】
実送信日時情報生成部１８は、ユーザに対してセリフ情報を送信する実送信日時を示す実送信日時情報を、選択内容データベース１１ｂと年表データベース１１ｃの日時テーブル１１ｇとに基いて生成する。
【００４５】
セリフ情報生成部１９は、年表データベース１１ｃの事象テーブル１１ｆに基いてセリフ情報を生成する。
【００４６】
該当実送信日時情報検出部２０は、実送信日時データベース１１ｅから現在の日時に合致する実送信日時情報を検出する。
【００４７】
該当メールアドレス抽出部２３は、セリフ情報生成部１９により生成したセリフ情報を送信すべき電子メールアドレス情報を、実送信日時データベース１１ｅとユーザデータベース１１ａとに基いて抽出する。
【００４８】
状況年表情報生成部２１は、年表データベース１１ｃの事象テーブル１１ｆ及び日時テーブル１１ｇに基いて、歴史体感コース情報に示される出来事毎に、事象テーブル１１ｆに記録された各人物の状況情報についての個人年表を示す個人年表情報、或いは事象テーブル１１ｆに記録された全人物の状況情報についての全体年表を示す全体年表情報を生成する。
【００４９】
通信制御部２２は、例えばユーザ端末装置３から送られてくる選択内容情報をインターネット１０を介して受信する。或いは、年表提供者端末装置４から送られてくる年表情報等をインターネット１０を介して受信する。又、通信制御部２２は、例えばセリフ情報生成部１９により生成したセリフ情報、或いは、状況年表情報生成部２１によって生成した個人年表情報又は全体年表情報を、インターネット１０を介してユーザ端末装置３に送信する。
【００５０】
図２は、図１に示す歴史体感支援システムに用いられるサーバコンピュータ１、ユーザ端末装置３、年表提供者端末装置４のハードウェア構成の一例を示す図面である。
【００５１】
サーバコンピュータ１は、記録装置であり本システムのプログラムを記録した記録媒体であるハードディスク５０、ハードディスク５０に記録されたプログラムを実行し制御する装置であるＣＰＵ５１、表示装置であるＣＲＴ５２、入力装置であるキーボード５４及びマウス５５、インターネット１０を介して各ユーザ端末装置３、年表提供者端末装置４と通信するための通信インタフェース５３を備えている。
【００５２】
サーバコンピュータ１のハードディスク５０には、上記プログラムの他、各データベース１１ａ、１１ｂ、１１ｃ、１１ｄ、１１ｅを構成するデータが記録されている。すなわち、ハードディスク５０が図１のユーザデータベース１１ａ、選択内容データベース１１ｂ、年表データベース１１ｃ、言語変換データベース１１ｄ、実送信日時データベース11ｅに対応する。
【００５３】
また、サーバコンピュータ１のＣＰＵ５１が、図１の記録制御部１２、セリフ情報送信部１７、状況年表情報生成部２１に対応する。又、サーバコンピュータ１の通信インタフェース５３が、図１の通信制御部２２に対応する。
【００５４】
図２のユーザ端末装置３は、表示装置である液晶表示部３１、入力装置であるボタン操作部３２、インターネット１０を介して通信される情報の閲覧プログラム等を記憶したメモリ３６、メモリ３６に記憶されたプログラム等を実行するＣＰＵ３４，インターネット１０を介してサーバコンピュータ１と通信するための通信インタフェース３５を備えている。
【００５５】
図２のユーザ端末装置３の液晶表示部３１が、図１の表示部３ａに対応する。図２のユーザ端末装置３のボタン操作部３２が、図１の入力部３ｂに対応する。又、図２のユーザ端末装置３の通信インタフェース３５が、図１の通信制御部３ｃに対応する。
【００５６】
図２の年表提供者端末装置４は、表示装置であるＣＲＴ４１、入力装置であるキーボード４２およびマウス４３、記録媒体であるハードディスク４６、ハードディスク４６に記録されたプログラム等を実行するＣＰＵ４４，インターネット１０を介してサーバコンピュータ１と通信するための通信インタフェース４５を備えている。
【００５７】
図２の年表提供者端末装置４のＣＲＴ４１が図１の表示部４ａに対応する。図２の年表提供者端末装置４のキーボード４２およびマウス４３が、図１の入力部４ｂに対応する。又、図２の年表提供者端末装置４の通信インタフェース４５が、図１の通信制御部４ｃに対応する。
【００５８】
次に、本実施形態の動作について説明する。まず、ユーザ登録について説明する。本実施形態では、登録されたユーザが本システムを利用することができるようになっている。従って、本システムを利用するには、予めユーザ登録しておくことが必要である。このユーザ登録は、例えば次のようにして行なうことができる。
【００５９】
ユーザ端末装置３は、ユーザの指示に従って、サーバコンピュータ１にアクセスし、ユーザ登録画面１００を要求する。そして、ユーザ端末装置３は、ユーザの指示に従って、サーバコンピュータから送信されてきた図８に示すようなユーザ登録画面１００に、電子メールアドレスを示す電子メールアドレス情報等の情報を入力し、送信する。
【００６０】
受信したサーバコンピュータ１は、送信されてきた電子メールアドレス情報等の情報をユーザデータベース１１ａに、図１４に示すようにユーザを識別するユーザ識別情報（ユーザＩＤ）と関連付けて登録する。この登録が、図1のユーザ情報記録制御部１３に対応する。
【００６１】
尚、ユーザ登録は、ユーザ端末装置３を用いて行なう形態のものに限らず、例えば電子メールアドレス情報等の所定の情報を記載した書面を郵送し、或いはファクシミリ送信し、書面に記載した情報をサーバコンピュータ１に入力することにより登録するようにしても良く、適宜変更できる。
【００６２】
次に、サーバコンピュータ１が歴史年表を示す年表情報を登録する場合について説明する。図３は、サーバコンピュータ１が年表情報を登録するまでの処理の流れを示すフローチャートである。
【００６３】
年表提供者端末装置４は、年表提供者により作成された歴史年表を予め記憶する（図３、ステップＳ１）。この歴史年表は、関ケ原の合戦等の歴史上の出来事におけるその出来事に登場する人物についての事象、及びその事象が起きた日時とから構成されている。又、事象は、その人物と第三者との会話のセリフとそのセリフに対応する歴史的状況からなる。また、セリフは、現代語で作成されている。
【００６４】
年表提供者端末装置４は、年表提供者の指示に従って、サーバコンピュータ１にアクセスし、年表登録画面１０３を要求する（図３、ステップＳ２）。
【００６５】
受信したサーバコンピュータ１は、図１１に示すような年表登録画面１０３を送信する（図３、ステップＳ３）。
【００６６】
年表登録画面１０３を受信した年表提供者端末装置４は、年表登録画面１０３に設けられた名称入力部１０３ａ、年表データファイル名入力部１０３ｂに夫々、入力する。
【００６７】
又、この年表登録画面１０３には、選択言語入力部１０３ｃが備えられている。この選択言語入力部１０３ｃには、セリフがその人物に適した歴史言葉になるように、選択言語ＩＤが、歴史年表を作成した管理者の判断で入力される。例えばセリフが、関ケ原の合戦における徳川家康に係るものである場合は、選択言語として戦国武将言葉が入力される。
【００６８】
尚、選択言語入力部１０３ｃに選択言語ＩＤが入力されない場合は、現代語のセリフがユーザに送信されることになる。
【００６９】
そして、年表提供者端末装置４は、このようにして入力された情報とともに、年表の内容を示す年表内容データを、サーバコンピュータ１に送信する（図３、ステップＳ４）。又、年表提供者端末装置４は、年表内容データを、出来事情報と、人物情報と、その人物と第三者との会話のセリフを示すセリフ情報と、そのセリフに関する会話を行なった日時を示す日時情報とを相互に関連づけてサーバコンピュータ１に送信する（図３、ステップＳ４）。
【００７０】
年表情報を受信したサーバコンピュータ１は、図１６に示すように年表データベース１１ｃの事象テーブル１１ｆに、歴史体感コースＩＤ、選択言語を識別する選択言語識別情報（選択言語ＩＤ）、人物ＩＤ、事象ＩＤ、及び事象情報を相互に関連づけて記録するとともに、図１７に示すように日時テーブル１１ｇに、日時情報を、事象ＩＤ、人物ＩＤ、及び歴史体感コースＩＤと関連づけて記録する。又、日時情報を標準送信日時情報として記録する。また、標準送信日時情報の中で、最初のものを標準送信開始日時情報とし、最後のものを標準送信終了日時情報として記録する（図３、ステップＳ５）。
【００７１】
このステップＳ５が、図１の年表情報記録制御部１５に対応する。
【００７２】
次に、ユーザがサーバコンピュータ１に歴史体感を要求する場合について説明する。図４は、ユーザが体感したい人物等を選択しその選択した人物等がサーバコンピュータ１に登録されるまでの処理の流れを示すフローチャートである。
【００７３】
ユーザ端末装置３は、ユーザの指示に従って、サーバコンピュータ１にアクセスし、歴史体感を求める歴史体感要求画面１０１を要求する（図４、ステップＳ１１）。
【００７４】
受信したサーバコンピュータ１は、図９に示す歴史体感要求画面１０１をユーザ端末装置３に送信する（図４、ステップＳ１２）。
【００７５】
この歴史体感要求画面１０１には、歴史体感コース選択表示部１０１ａと、送信態様選択表示部１０１ｂとが備えられている。歴史体感コース選択表示部１０１ａには、複数の歴史上の出来事（事件）を示す出来事情報が表示されており、ユーザは、体感を希望する出来事を表示されたものの内から選択する。
【００７６】
又、送信態様選択表示部１０１ｂには、「標準送信」を表示した標準送信表示部１０１ｃと、「日時指定送信」を表示した日時指定送信表示部１０１ｄとが備えられており、ユーザは、標準送信表示部１０１ｃか、又は、日時指定送信表示部１０１ｄｃかを選択する。標準送信表示部１０１ｃを選択した場合は、日時テーブル１１ｇに記録された日時情報に示される日時（標準送信日時）にセリフ情報が送信され、歴史上の実際の日時にほぼ合致した日時に送信されるようになっている。
【００７７】
一方、日時指定送信表示部１０１ｄを選択した場合は、一つの出来事におけるセリフ情報の送信を開始する送信開始日時から送信終了日時までに要する所要時間、又は、送信開始日時を指定し、或いは、所要時間及び送信開始日時の双方を指定する。例えば所要時間を２時間に指定したい場合は、歴史体感選択画面１０１に設けられた希望所要時間入力部１０１ｅに「２」を入力する。
【００７８】
又、送信開始日時を９月２０日の１８：００に指定したい場合は、歴史体感選択画面１０１に設けられた希望送信開始日時入力部１０１ｆに「９月２０日１８：００」を入力する。又、所要時間及び送信開始日時の双方を指定する場合は、希望所要時間入力部１０１ｅ及び希望送信開始日時入力部１０１ｆに上記のように入力する。
【００７９】
このようにしてユーザにより歴史上の出来事が選択されるとともに、送信態様が選択され、更には希望所要時間入力部１０１ｅ等に入力されると、ユーザ端末装置３はサーバコンピュータ１にこれらの情報を送信する（図４、ステップＳ１３）。
【００８０】
サーバコンピュータ１は、出来事を特定する出来事特定情報及び送信態様が標準送信であるか日時指定送信であるかの別を示す送信態様情報として受信する。そして、その受信した出来事特定情報に基いて、その選択された出来事に登場する歴史上の人物を示す人物情報を表示した図１０に示すような人物選択画面１０２をユーザ端末装置３に送信する（図４、ステップＳ１４）。
【００８１】
例えば図９に示すように、歴史体感選択画面１０１で、出来事として「関ケ原の合戦」が選択されている場合は、関ケ原の合戦に登場する徳川家康、井伊直政、小早川秀秋、石田三成などの人物の名称を表示した人物選択画面１０２を送信する。
【００８２】
歴史体感選択画面１０１を受信したユーザ端末装置３は、ユーザの指示に従って、その人物になって体感したいとユーザが思う希望の人物を選択し、人物情報を特定する人物特定情報としてサーバコンピュータ１に送信する（図４、ステップＳ１５）。
【００８３】
尚、この実施形態では、人物の選択に際し、複数人を同時に選択可能に設定しているが、一人だけ選択可能に設定しても良く、適宜変更できる。
【００８４】
サーバコンピュータ１は、人物特定情報として受信する。尚、この実施形態においては、この人物特定情報と先に受信した出来事特定情報とが年表情報を特定する年表特定情報を構成する。又、この実施形態では、上記人物特定情報と出来事特定情報と送信態様情報とが歴史体感要求情報を構成する。
【００８５】
そして、サーバコンピュータ１は、受信した情報を選択内容データベース１１ｂに、図１５に示すように、ユーザＩＤ、歴史体感コースＩＤ，人物ＩＤ，送信態様情報を相互に関連づけて記録する（図４、ステップＳ１６）。このステップＳ１６が、図１の選択内容情報記録制御部１４に対応する。
【００８６】
又、サーバコンピュータ１は、これらの情報の登録が完了した旨の情報をユーザ端末装置３に送信する（図４、ステップＳ１７）。
【００８７】
次に、サーバコンピュータ１がセリフ情報を生成しその生成したセリフ情報をユーザ端末装置３に送信する場合について説明する。図５、図６は、セリフ情報を生成しその生成したセリフ情報をユーザに送信するまでの処理の流れを示すフローチャートである。
【００８８】
まず、サーバコンピュータ１は、実送信日時データベース１１ｅの実送信日時情報を生成する（図５、ステップＳ２１）。この実送信日時情報の生成は、次のようにして行なわれる。図７は、実送信日時情報を生成する処理の流れを示すフローチャートである。
【００８９】
サーバコンピュータ１は、選択内容データベース１１ｂ（図1５参照）に記録された各ユーザＩＤに示されるユーザについて、ユーザ端末装置３への送信態様が標準送信であるか、又は、日時指定送信であるかを選択内容データベース１１ｂに基いて判定する（図７、ステップＳ３１）。
【００９０】
標準送信であると判定した場合は、図１７に示す日時テーブル１１ｇに記録された標準送信日時情報を実送信日時情報として設定する（図７、ステップＳ３２）。
【００９１】
一方、日時指定送信であると判定した場合は、希望所要時間が設定されているか否かを選択内容データベース１１ｂに基いて判定する（図７、ステップＳ３３）。
【００９２】
希望所要時間が設定されていると判定した場合は、希望所要時間を反映した実送信日時情報を生成する（図７、ステップＳ３４）。
【００９３】
例えば選択内容データベース１１ｂに、希望所要時間として「２」Ｈが記録されているとすると、サーバコンピュータ１は、それに対応する歴史体感コースＩＤ及び人物ＩＤを選択内容データベース１１ｂから検出する。
【００９４】
そして、その歴史体感コースＩＤ及び人物ＩＤに基いて、図１７に示す日時テーブル１１ｇから、それらに対応する日時情報の標準送信開始日時から標準送信終了日時までの標準所要時間を算出する。例えば標準送信開始日時が９月１５日２：００で、標準送信終了日時が９月１６日２：００である場合には、標準所要時間として「２４」を算出する。
【００９５】
次に、算出した標準所要時間に対する希望所要時間の割合を算出する。上記の例では、２：２４、即ち１/１２を算出する。そして、図１７に示す標準送信開始日時からその次の標準送信日時までの時間（この例では４時間）を上記割合に応じた時間（この例では、２０分）にすることにより、実送信開始日時からその次の実送信日時までの時間情報を生成する（図２０）。そして、図２０に示すように実送信開始日時を、図１７に示す標準送信開始日時（この例では9月１５日２：００）とし、その実送信開始日時を基準にして、その次の実送信日時（この例では9月１５日２：２０）を算出する。以下、同様に、更に次の実送信日時を算出することにより、所要時間設定時の実送信日時情報を生成する。
【００９６】
一方、ステップＳ３３において、サーバコンピュータ１が希望所要時間が設定されていないと判定した場合は、後述の次のステップＳ３５に進む。
【００９７】
次に、希望送信開始日時が設定されているか否かを選択内容データベース１１ｂに基いて判定する（図７、ステップＳ３５）。
【００９８】
希望送信開始日時が設定されていると判定した場合は、希望送信開始日時を反映した実送信日時情報を生成する（図７、ステップＳ３６）。
【００９９】
例えば選択内容データベース１１ｂに、希望送信開始日時として「9月２０日１８：００」が記録されているとすると、標準送信開始日時と希望送信開始日時との日時のずれを算出する（この例では、５日と１６時間）。
【０１００】
そして、図１７に示す各標準送信日時から、５日と１６時間の分だけずらした日時を算出することにより各実送信日時情報を生成する。
【０１０１】
尚、希望所要時間と希望送信開始日時との両方が設定された場合（「所要時間及び開始日時設定時」）は、まず、上述のステップＳ３４に従って、図２０に示すような「所要時間設定時の実送信日時」情報を生成する。そして、その「所要時間設定時の実送信日時」情報における実送信開始日時と希望送信開始日時との日時のずれを算出する（この例では、５日と１６時間）。
【０１０２】
そして、各「所要時間設定時の各実送信日時」から、５日と１６時間の分だけずらした日時を算出することにより、図２０に示すように各「所要時間設定及び開始日時設定時の各実送信日時」情報を生成する。
【０１０３】
一方、ステップＳ３５においてサーバコンピュータ１が、希望送信開始日時が設定されていないと判定した場合は、後述の次のステップＳ３７に進む。
【０１０４】
上述したステップＳ３１〜ステップＳ３６が、図1の実送信日時情報生成部１８に対応する。
【０１０５】
そして、サーバコンピュータ１は、図１９に示すように、生成した実送信日時情報を実送信日時データベース１１ｅに、ユーザＩＤ、歴史体感コースＩＤ、人物ＩＤ、事象ＩＤと関連づけて記録する（図７、ステップＳ３７）。このステップＳ３７が、図1の実送信日時情報記録制御部１６に対応する。
【０１０６】
又、サーバコンピュータ１は、全ユーザについて、上記ステップＳ３１〜ステップＳ３７までの処理を行なったか否かを判定する（図７、ステップＳ３８）。
【０１０７】
ステップＳ３８においてサーバコンピュータ１が、全ユーザについて処理を行なっていないと判定した場合は、ステップＳ３１に戻って、次のユーザについて処理を行なう。
【０１０８】
一方、ステップＳ３８においてサーバコンピュータ１が、全ユーザについて処理を行なったと判定した場合は、後述の次のステップＳ２２に進む。
【０１０９】
以上のようにして実送信日時情報の生成を行なったサーバコンピュータ１は、現在の日時を示す日時情報を取得する（図５、ステップＳ２２）。
【０１１０】
次に、現在の日時に合致した実送信日時が実送信日時データベース１１ｅに記録されているかを判定する（図５、ステップＳ２３）。このステップＳ２３が、図1の該当実送信日時情報検出部２０に対応する。
【０１１１】
ステップＳ２３においてサーバコンピュータ１が記録されていないと判定した場合は、ステップＳ２２に制御を戻す。
【０１１２】
一方、ステップＳ２３においてサーバコンピュータ１が記録されていると判定した場合は、該当する実送信日時に対応するセリフを、実送信日時データベース１１ｅ及び事象テーブル１１ｆ（図１６）に基いて抽出するとともに、抽出したセリフを該当する選択言語に変換し、図1２に示すようなセリフ表示画面１０４の情報を生成する（図５、ステップＳ２４）。このステップＳ２４が、図1のセリフ情報生成部１９に対応する。
【０１１３】
この選択言語への変換は、抽出したセリフに対応する選択言語ＩＤと、図1８に示す言語変換データベース１１ｄとに基いて、現代語のセリフを、例えば戦国武将言葉の歴史言葉に変換する。
【０１１４】
尚、事象テーブル１１ｆに、セリフに対応する選択言語ＩＤが記録されていない場合は、サーバコンピュータ１がそれを判定し、歴史言葉に変換しない。従って、その場合は、コンピュータ１は、抽出した現代語のセリフ情報を表示したセリフ表示画面１０４の情報を生成し、後述のようにユーザ端末装置３に送信する。
【０１１５】
次に、生成したセリフ表示画面１０４を送信すべきユーザＩＤを実送信日時データベース１１ｅから抽出する（図５、ステップＳ２５）。
【０１１６】
抽出したユーザＩＤに対応する電子メールアドレス情報を、図１４に示すユーザデータベース１１ａから抽出する（図５、ステップＳ２６）。上記ステップＳ２５及びステップＳ２６が、図1の該当メールアドレス抽出部２３に対応する。
【０１１７】
そして、生成したセリフ表示画面１０４を電子メールアドレス情報に示された電子メールアドレス宛に、電子メールで配信する（図６、ステップＳ２７）。
【０１１８】
実送信日時データベース１１ｅに記録された全てのユーザについて、上記ステップＳ２２からステップＳ２７の処理を行なったか否かを判定する（図６、ステップＳ２８）。
【０１１９】
行なっていないと判定した場合は、ステップＳ２７に戻る。
【０１２０】
一方、行なったと判定した場合は、ステップＳ２２に戻る。尚、この場合において、例えば新たにユーザが登録され、或いは、送信態様が変更されて実送信日時データベース１１ｅを生成し直す場合は、ステップＳ２１に戻る。
【０１２１】
電子メールでセリフ表示画面１０４の配信を受けたユーザ端末装置３は、ユーザにより電子メールの表示の操作が行なわれることにより、ユーザ端末装置３の表示部３ａに、図１２に示すセリフ表示画面１０４を表示する。
【０１２２】
又、この実施形態では、セリフ表示画面１０４には、図１２に示すように年表閲覧指示部１０４aが備えられている。この年表閲覧指示部１０４aは、全体年表閲覧指示部１０４ｂと、個人年表閲覧指示部１０４ｃとから構成されている。
【０１２３】
ユーザが全体年表閲覧指示部１０４ｂを選択操作すると、図１３に示すような全体年表を表示した全体年表表示画面１０６がサーバコンピュータ１から送信され、表示部３ａに表示される。
【０１２４】
この全体年表表示画面１０６に表示された全体年表は、図１２に示すセリフ表示画面１０４に表示されたセリフに対応する歴史体感コースＩＤで示される出来事の年表であって、その歴史体感コースＩＤに対応して事象テーブル１１ｆに記録された全人物の歴史的な状況を表示したものである。例えばセリフ情報が関ケ原の合戦における家康に関するものである場合は、サーバコンピュータ１は、関ケ原の合戦と関連付けられて事象テーブル１１ｆに記録された徳川家康、井伊直政、小早川秀秋、石田三成等の人物の歴史的な状況を事象テーブル１１ｆから抽出して全体年表を生成する。
【０１２５】
尚、この実施形態では、全体年表は、時系列に、且つ人物ごとに領域を分けて表示されているが、例えば全人物の歴史的状況を領域を分けずに表示するようにしてもよい。
【０１２６】
一方、ユーザが個人年表閲覧指示部１０４ｃを選択操作すると、個人年表を表示した個人年表表示画面（図示せず）が送信され、表示部３ａに表示される。
【０１２７】
この個人年表は、セリフ表示画面１０４に表示されたセリフ情報に対応する歴史体感コースＩＤで示される出来事の個人年表であって、そのセリフ情報に対応する人物ＩＤで示される人物のみについての歴史的状況を表示したものである。例えばセリフ情報が関ケ原の合戦における家康に関するものである場合、サーバコンピュータ１は、関ケ原の合戦における徳川家康だけの歴史的状況を事象テーブル１１ｆから抽出して個人年表を生成する。
【０１２８】
これらの個人年表及び全体年表の生成が、図１の状況年表情報生成部２１に対応する。
【０１２９】
ユーザ端末装置３は、以下同様にして、実送信日時データベース１１ｅに基いて、順次、セリフ表示画面の配信を電子メールにて受ける。これにより、ユーザは、そのセリフによって、歴史上の出来事における歴史上の人物になった気分になることができ、歴史を体感できる。
【０１３０】
尚、この実施形態では、年表情報を、出来事情報と、人物情報と、セリフ情報と、歴史的な状況情報と、日時情報とを相互に関連付けたものから構成しているが、この形態のもの限らず、適宜変更できる。例えば年表情報を、出来事情報と、人物情報と、セリフ情報及び/又は歴史的な状況情報と、日時情報とを相互に関連付けたものから構成し、又は、年表情報を、人物情報と、セリフ情報及び/又は歴史的な状況情報と、日時情報とを相互に関連付けたものから構成しても良い。
【０１３１】
又、セリフ情報及び/又は歴史的な状況情報を、歴史的な事象を示す事象情報として把握することもできる。
【０１３２】
また、上記実施形態では、年表特定情報を、出来事情報を特定した情報及び人物情報を特定した情報から構成しているが、これに限らず、適宜変更できる。例えば年表情報を、人物情報と、セリフ情報及び/又は歴史的な状況情報と、日時情報とを相互に関連付けたものから構成する場合は、年表特定情報を、人物情報を特定したものから構成できる。
【０１３３】
また、上記実施形態では、通信網としてインターネット１０を用いているが、通信網は、これに限定されるものではなく、適宜変更できる。例えば通信網としてワイドエリアネットワーク（ＷＡＮ）、或いは、ローカルエリアネットワーク（ＬＡＮ）を用いることができ、適宜変更できる。
【０１３４】
又、上記実施形態では、年表情報は、年表提供者端末装置４からサーバコンピュータ１に送信されているが、この形態のものに限らず、例えばサーバコンピュータ１に年表情報を直接入力するようにしても良い。
【０１３５】
また、年表提供者は、上記実施形態では、サーバコンピュータ１を管理する管理者から構成されているが、年表提供者は、特に限定されない。
【０１３６】
又、上記実施形態では、ユーザ端末装置３の表示部３ａに、セリフ情報に示されるセリフを視覚的な表示するようにしているが、表示は視覚的表示に限定されるものではない。例えばセリフ情報に示されるセリフを、ユーザ端末装置３に音声表示させるようにしても良いし、点字等により触覚的に表示させるものでも良い。
【０１３７】
また、上記実施形態では、送信態様における日時指定送信として、希望所要時間と、希望送信開始日時とをユーザが指定できるようにしているが、これに限らず適宜設定できる。例えば希望所要時間と希望送信開始日時とのいずれか一方又は両方を、例えば希望所要時間として「２」時間、「４」時間、「６」時間等のように、予め設定した選択肢をサーバ側からユーザ側に与え、ユーザに選択肢を選択させるようにしても良い。
【０１３８】
また、上記実施形態では、セリフ情報生成部を、事象テーブル１１ｆに記録された現代語のセリフ情報を抽出し、言語変換データベース１１ｄに基いてその抽出した現代語のセリフ情報を歴史言葉のセリフ情報に変換するものとしているが、この形態のものに限らず、適宜変更できる。例えば現代語のセリフ情報を、必要に応じて言語変換データベース１１ｄに基いて歴史言葉のセリフ情報に変換しその変換した歴史言葉のセリフ情報を事象テーブル１１ｆに記録しておく。そして、セリフ情報生成部を、セリフ情報を事象テーブル１１ｆから抽出するものとしても良い。
【０１３９】
又、この実施形態では、セリフ情報だけをユーザ端末装置３に送信するようにしているが、この形態のものに限らず、適宜変更できる。例えばセリフ情報を、歴史的な状況情報と音声情報と画像情報との一つ又は二つ以上の情報と共に送信する。或いは、セリフ情報を送信しないで歴史的な状況情報だけを送信する。更には、セリフ情報を送信しないで歴史的な状況情報を、音声情報及び/又は画像情報と共に送信するようにしても良い。
【０１４０】
又、この実施形態においては、ハードディスクにインストールされた本システムのプログラムを実行するようにしているが、プログラムの保持形態はこれらに限定されるものではない。たとえば、本システムのプログラムを、ＣＤ−ＲＯＭ、フレキシブルディスク、磁気テープ等に記録するようにしてもよい。
【０１４１】
さらに、有線や無線の通信回線を介して本システムのプログラムを配信するようにしてもよい。また、本システムのプログラムをメインのサーバコンピュータにインストールしておき、たとえばインターネットなどの通信回線を介してローカルのサーバコンピュータに本システムのプログラムを実行させるようにしてもよい。
【０１４２】
また、プログラムやデータの記録態様は特に限定されるものではない。直接実行できる形で記録媒体に記録されている場合の他、たとえば、解凍して使用するように圧縮された形で記録媒体に記録されていてもよい。
【０１４３】
又、上述の実施形態においては、コンピュータを用いて図１の各機能を実現する場合を例に説明したが、図１の機能の一部をハードウェアロジックを用いて構成するようにしてもよい。
【図面の簡単な説明】
【０１４４】
【図１】この発明の一実施形態の歴史体感支援装置を有する歴史体感支援システムの構成を説明するためのブロック図である。
【図２】図１に示す一実施形態の歴史体感支援システムに用いられるサーバコンピュータ、ユーザ端末装置、年表提供者端末装置のハードウェア構成の一例を示すブロック図である。
【図３】サーバコンピュータが年表情報を登録するまでの処理の流れを示すフローチャートである。
【図４】ユーザが体感したい人物等を選択しその選択した人物等がサーバコンピュータのデータベースに登録されるまでの処理の流れを示すフローチャートである。
【図５】サーバコンピュータがセリフ情報を生成しその生成したセリフ情報をユーザに送信するまでの処理の流れを示すフローチャートの一部である。
【図６】サーバコンピュータがセリフ情報を生成しその生成したセリフ情報をユーザに送信するまでの処理の流れを示すフローチャートの他の一部である。
【図７】サーバコンピュータが実送信日時情報を生成する処理の流れを示すフローチャートである。
【図８】ユーザ端末装置に表示されるユーザ登録画面の一例である。
【図９】ユーザ端末装置に表示される歴史体感要求画面の一例である。
【図１０】ユーザ端末装置に表示される人物選択画面の一例である。
【図１１】年表提供者端末装置に表示される年表登録画面の一例である。
【図１２】ユーザ端末装置に表示されるセリフ表示画面の一例である。
【図１３】ユーザ端末装置に表示される全体年表表示画面の一例である。
【図１４】ユーザデータベースのデータ構造を模式的に表わした図面である。
【図１５】選択内容データベースのデータ構造を模式的に表わした図面である。
【図１６】事象テーブルのデータ構造を模式的に表わした図面である。
【図１７】日時テーブルのデータ構造を模式的に表わした図面である。
【図１８】言語変換データベースのデータ構造を模式的に表わした図面である。
【図１９】実送信日時データベースのデータ構造を模式的に表わした図面である。
【図２０】実送信日時情報を生成する際の説明図である。
【符号の説明】
【０１４５】
１    サーバコンピュータ
３    ユーザ端末装置
４    年表提供者端末装置
１１ａ    ユーザデータベース
１１ｂ    選択内容データベース
１１ｃ    年表データベース
１１ｄ    言語変換データベース
１１ｅ    実送信日時データベース
１１ｆ    事象テーブル
１１ｇ    日時テーブル
１３    ユーザ情報記録制御部
１４    選択内容情報記録制御部
１５    年表情報記録制御部
１６    実送信日時情報記録制御部
１８    実送信日時情報生成部
１９    セリフ情報生成部
２０    該当実送信日時情報検出部
２１    状況年表情報生成部
２２    通信制御部
２３    該当メールアドレス抽出部
特許出願人  有限会社ベルウッドクリエイツ
出願人代理人  弁理士  田川  幸一
【図１】
2007079763.tif 000003
【図２】
2007079763.tif 000004
【図３】
2007079763.tif 000005
【図４】
2007079763.tif 000006
【図５】
2007079763.tif 000007
【図６】
2007079763.tif 000008
【図７】
2007079763.tif 000009
【図８】
2007079763.tif 000010
【図９】
2007079763.tif 000011
【図１０】
2007079763.tif 000012
【図１１】
2007079763.tif 000013
【図１２】
2007079763.tif 000014
【図１３】
2007079763.tif 000015
【図１４】
2007079763.tif 000016
【図１５】
2007079763.tif 000017
【図１６】
2007079763.tif 000018
【図１７】
2007079763.tif 000019
【図１８】
2007079763.tif 000020
【図１９】
2007079763.tif 000021
【図２０】
2007079763.tif 000022